(57)【要約】  【課題】本発明は、文字入力操作の際に、使用する言語に応じてキーに表示される文字種を変更し、表示可能とする技術を提供する。  【解決手段】記憶手段に複数の言語の文字種が記憶されており、使用言語の決定により、決定された言語の独自文字種を含む使用文字種を、記憶手段から読み出し、入力手段に備えられた表示手段を用いて、入力キーに読み出された言語の使用文字種が表示される。  【選択図】図３
2006287495.tif 000002
【特許請求の範囲】
【請求項１】
複数のキーからなる入力手段と、複数の言語の文字種を記憶した記憶手段と、前記入力手段に文字を表示するための表示手段と、前記表示手段により表示される使用文字種を決定する手段とを備える携帯通信端末。
【請求項２】
使用環境設定により、設定された国情報に基づいて前記使用文字種を決定することを特徴とする請求項１に記載の携帯通信端末。
【請求項３】
前記記憶手段にメールアドレス及び国情報を含む個人情報を記憶したアドレス帳を有する携帯通信端末であって、
アドレス帳に記憶しているメールアドレスを送信先として指定し、前記アドレス帳に記憶している前記指定したメールアドレスに対応する国情報に基づいて前記使用文字種を決定することを特徴とする請求項１に記載の携帯通信端末。
【請求項４】
自己位置情報取得手段により取得された自己位置情報に基づいて前記使用文字種を決定することを特徴とする請求項１に記載の携帯通信端末。
【請求項５】
前記自己位置情報取得手段は、ＧＰＳ情報に基づいて自己の位置を取得することを特徴とする請求項４に記載の携帯通信端末。
【請求項６】
前記自己位置情報取得手段は、基地局から受信する情報に基づいて自己の位置を取得することを特徴とする請求項４に記載の携帯通信端末。
【発明の詳細な説明】
【技術分野】
【０００１】
本発明は、携帯通信端末に関し、特に入力時の使用言語に応じて、入力キー部の表示文字の変更が可能である携帯通信端末に関する。
【背景技術】
【０００２】
従来のこの種の表示文字の変更が可能である移動電話機のキーパッドの一例が、特許文献１に開示されている。また、キー部の表示固定された従来技術の一例が、特許文献２に開示されている。
【０００３】
特許文献１の移動電話機のキーパッドは、キーパッドの一部が液晶表示画面を含む変更可能なラベルを有するキーであり、表示情報を異なる言語で記憶した記憶手段から１つの言語を選択することで、液晶表示画面に選択された言語で表示することが可能である。
【０００４】
特許文献２の携帯通信端末は、操作部の操作キーの配列構成を示す図から明らかなように、一つのキーに数字、かな文字等が混在して刻印されている。
【特許文献１】特表２００２−５０２１４１号公報［Ｈ０４Ｍ１／０２、Ｇ０６Ｆ３／０２、Ｈ０４Ｍ３／００］
【特許文献２】特開２００２−２９７２８７号公報［Ｇ０６Ｆ３／０２、Ｇ０６Ｆ３／００、Ｇ０６Ｆ１３／００、Ｈ０４Ｑ７／３８、Ｈ０４Ｍ１／２４７］
【発明の開示】
【発明が解決しようとする課題】
【０００５】
特許文献１の従来技術では、例えば「ＳＴＯＲＥ（記憶）」や「ＣＬＥＡＲ（消去）」等の機能を表すキーの表示を、使用言語を選択することによって変更するものであり、入力の際に使用するキー（以下、入力キーと呼ぶ）に表示される文字等の表示変更は行われない。したがって、入力キーに表示されている文字以外の文字を使用する言語による入力を行うことは困難である。
【０００６】
特許文献２の従来技術では、１つの操作キーに数字、かな文字及びアルファベットが刻印されているため、刻印されている文字が小さく、使い馴れていない人にとってはキーに表示されている文字を探すことが困難である。また、キーの大きさの制限を受けるため、キーに刻印できる文字数にも限界があり、多種多用な言語に対応することが出来ない。
【０００７】
それゆえに、本発明の主たる目的は、文字入力操作の際に必要とする言語の文字を表示するために、入力キーの文字表示を変更可能とする、携帯通信端末の入力キーを提供することである。
【課題を解決するための手段】
【０００８】
請求項１の発明は、複数のキーからなる入力手段と、複数の言語の文字種を記憶した記憶手段と、入力手段に文字を表示するための表示手段と、表示手段により表示される使用文字種を決定する手段とを備える携帯通信端末である。
【０００９】
請求項１の発明では、記憶手段に複数の言語の文字種が記憶されており、使用言語の決定により、決定された言語の独自文字種を含む使用文字種を、記憶手段から読み出し、入力手段に備えられた表示手段により、入力キーに読み出された言語の使用文字種が表示される。
【００１０】
請求項２の発明は、使用環境設定により、設定された国情報に基づいて使用文字種を決定することを特徴とする請求項１に記載の携帯通信端末である。
請求項２の発明では、使用環境設定の一つとして、複数の選択可能な国名から一つの国名を選択することにより、該当する国の使用言語の文字種を表示するための国情報を有している。この国情報を設定することにより、選択された国の使用言語に基づいた使用文字種が決定され、各入力キーに表示される。
【００１１】
請求項３の発明は、記憶手段にメールアドレス及び国情報を含む個人情報を記憶したアドレス帳を有する携帯通信端末であって、アドレス帳に記憶しているメールアドレスを送信先として指定し、指定したメールアドレスに対応するアドレス帳に記憶されている国情報に基づいて使用文字種を決定することを特徴とする請求項１に記載の携帯通信端末である。
【００１２】
請求項３の発明では、メール送信の際に送信先として、アドレス帳からメールアドレスを選択し、対応するアドレス帳に個人情報として国情報を記憶させておくことにより、メール文章の入力を行う際に、アドレス帳の国情報に基づいて使用文字種が決定され、各入力キーに該当する言語の使用文字種が表示される。
【００１３】
請求項４の発明は、自己位置情報取得手段により取得された自己位置情報に基づいて使用文字種を決定することを特徴とする請求項１に記載の携帯通信端末である。
請求項４の発明では、ＧＰＳ等の電波を受信することにより、自己の位置情報を取得することが可能である端末の場合に、その位置情報がどの国に属するのかを記憶手段に記憶されている情報により判断し、その国で主に使用される使用言語により使用文字種を決定し、それぞれの入力キーに該当する使用文字種が表示される。
【発明の効果】
【００１４】
この発明によれば、入力キーには、設定された言語で使用される独自文字種を含む使用文字種で表示されるため、使用言語と入力キー表示文字が一致し、入力が容易になるとともに、使用言語の異なる国・地域であっても、同一の端末を使用することが可能となる。
【００１５】
また、使用言語を設定することにより１つのキーに表示される文字数を削減し、１文字の表示を従来の表示より大きくできるため、文字入力操作に不慣れな使用者や、高齢者等に対して小さな文字の見難さを改善することも可能である。
【発明を実施するための最良の形態】
【００１６】
図１に示す実施例の携帯通信端末１０は、複数の入力キーからなる入力キー部１２と、種々の選択や決定操作を行うナビゲーションキー１４と、文字入力の結果等が表示される第１表示器１６を備えている。
【００１７】
図２は入力キー部１２の表示に関するものであり、日本で使用される従来の入力キーには、表示例２０に示すように、数字、ひらがな及びアルファベットが一つのキーに刻印されている。本発明の入力キーでは、それぞれの言語で使用される特有の文字を含む文字種（以下、独自文字種と呼ぶ）を優先し、入力キー部１２のそれぞれのキーに表示される。ここで独自文字種とは、表示例２２のように日本語の場合では、かな文字である。また、図には示さないが、カナ文字も日本語の独自文字種である。同様に表示例２４の英語の場合では英語アルファベットであり、表示例２６のドイツ語の場合ではウムラウトとエスツェットを含むドイツ語アルファベットである。
【００１８】
図３は本発明の概略構成を示すブロック図であり、第２表示器３４は入力キー部１２に文字等を表示する手段である。メモリ３２は図５に示すようなテーブルのデータや、ＧＰＳ処理部３８により取得された緯度経度の情報を、例えば住所等の位置情報に変換するためのデータや、図６（ａ）に示すようなアドレス帳などを記憶している。送受信部３６は通話、メールなどの送受信に関わる信号の処理を行う。
【００１９】
第１の実施例として、図３及び図４を参照し、端末の使用環境設定の一つである、国情報の設定による入力キー表示の制御について説明する。
【００２０】
ここで、国情報とは、図５のテーブル（以下、国情報テーブルと呼ぶ）に示すように、国名と、その国において主に使用される言語（以下、使用言語と呼ぶ）と、各々の使用言語により用いられる独自文字種を含む使用可能である文字種が関連付けて記憶されている情報である。
【００２１】
例えば、ナビゲーションキー１４を操作することで、図４（ａ）に示すような、使用環境設定メニューが第１表示器１６に表示される。使用環境設定メニューから国情報の項目を選択すると、図４（ｂ）のような国名を選択する画面が第１表示器１６に表示され、ナビゲーションキー１４を用いて、表示されている複数の国名から使用したい言語に対応する国名を選択し、決定すると、図３のＣＰＵ３０は、国情報テーブルが記憶されているメモリ３２から、選択された国名に対応する言語の独自文字種を含む使用文字種を読み出し、入力キー部１２の文字を表示する手段である第２表示器３４に対して、該当する言語の独自文字種を表示する制御を行う。第２表示器３４には、独自文字種の他に、文字種の切り替え操作を行うことにより、国名選択に基づいて読み出された全ての文字種を表示させることも可能である。第２表示器３４に表示されている文字種に関し、入力キー部１２の操作に応じた処理がＣＰＵ３０において行われ、その結果が第１表示器１６に表示される。
【００２２】
ここで、国情報に基づいて文字種を変更し表示させる第２表示器３４は、例えば各キーが独立した液晶から成り、液晶面に触れることにより、該当キーが操作されたことを検知するものである。
【００２３】
第２の実施例として、メールを送信する場合における、入力キー部１２の表示の変更制御について説明する。
【００２４】
図６（ａ）は、本発明のアドレス帳を示しており、番号、氏名、電話番号、メールアドレス等の個人情報に加えて、本発明の特徴である国情報が関連付けて記憶されている。図６（ｂ）はアドレス帳に記憶されているレコードを第１表示器１６に表示した状態を示しており、国情報の項目を設けてあることによって、登録されている相手に対して使用する言語の選択を行うことができる。国情報の登録は、図６（ｂ）が第１表示器１６に表示されているときに国情報の項目を選択し、決定すると、図６（ｃ）のように複数の選択可能な国名が第１表示器１６に表示さる。この複数の国名から一つの国を選択・決定することで相手に対して使用する言語の登録が行われる。メールの送信を行う際に、アドレス帳から送信先アドレスを選択し、国情報が登録されている場合には、使用環境設定における国情報に優先してアドレス帳に設定された国情報に基づく使用文字種が入力キー部１４の表示手段である第２表示器３４に表示される。より具体的に、例えば使用環境設定における国情報が日本であるとき、通常の入力時には第２表示器３４には、かな文字が表示されている。この状態であるときに、アドレス帳から国情報がドイツであるメールアドレスを選択すると、第２表示器３４には、かな文字に代わってドイツ語アルファベットが表示される。そして、メールの作成が終了すると、第２表示器３４は、使用環境設定の国情報に基づくかな文字へと表示を戻す。このように、メール送信を行う際に、一時的に入力キー表示を変更するため、使用環境設定の国情報を変更しなくとも、相手に対して使用する言語に応じた文章を作成し、送信することが容易となる。
【００２５】
以下に、図７のフロー図を参照して、メール作成における国情報の取得による入力キー表示の動作を説明する。
【００２６】
メールを作成しようとするときに、ステップＳ１では、メール送信先のアドレスがメモリ３２に記憶されているアドレス帳から選択されたか否かを判断し、アドレス帳からアドレスが選択されたのであればステップＳ３に進み、選択したメールアドレスのアドレス帳に国情報が設定されているかを判断する。ステップＳ３において国情報がありと判断されれば、ステップＳ５においてアドレス帳から国情報の設定を取得する。ステップＳ５で取得された国情報に基づく独自文字種を含んだ使用文字種がメモリ３２より読み出され、ステップＳ７において所定のキー表示処理が行われ、第２表示器３４に文字が表示される。
【００２７】
一方、ステップＳ１でメール送信先をアドレス帳から選択しなかった場合や、ステップＳ３でアドレス帳内に国情報の設定が無かった場合には、使用環境設定の国情報に基づく使用文字種が表示されるため、ステップＳ７ではその使用文字種を表示されるようキー表示処理がなされることになる。
【００２８】
ステップＳ９では、メールの入力が終了したか否かを判断し、入力が終了しない場合にはステップＳ７のキー表示処理が入力終了まで繰り返し行われる。ステップＳ１１においてアドレス帳の国情報に基づいて使用文字種が一時的に変更されていた場合は、キー表示を使用環境設定の国情報に基づく使用文字種に切り替えるため、第２表示器３４の表示が変更される。
【００２９】
次に、図７のステップS７における、ユーザの選択による所定のキー表示処理について、図８のフロー図を参照し、特に、国情報として日本が設定されている場合について説明する。
【００３０】
ステップＳ２１では、ディフォルト文字種として、国情報に基づく独自文字種を表示する。つまり、国情報が日本の場合には、最初の表示としてかな文字の表示がなされる。
【００３１】
ステップＳ２３、ステップＳ２７、ステップＳ３１、ステップＳ３５及びステップＳ３９はユーザがいずれの文字種を用いた入力を行うかということを選択するステップであり、この実施例ではかな文字、カナ文字、アルファベット、数字、記号の順に文字種が切り替わる。ステップＳ２３，ステップＳ２９、ステップＳ３３，ステップＳ３７およびステップＳ４１は入力したい文字種の選択によりそれぞれの文字種が表示される。
【００３２】
ステップＳ４３では文字種の切り替えを判断し、文字種切り替えが必要であれば、上述したような順で文字種を切り替えることができる。文字種の切り替えを必要としない場合には、ステップＳ４５で入力操作が完了するまで第２表示器３４の表示状態を変化させない。
【００３３】
以上説明したように、この実施例によれば、国情報の設定により、入力キー部１２の表示手段である第２表示器３４の表示を切り替えることが可能であり、使用言語と入力キーに表示される文字種が一致し、入力が容易になる。また、使用言語の異なる様々な国・地域であっても、同一の端末を使用することが可能となる。
【００３４】
第３の実施例として、複数のＧＰＳ衛星（図示しない）からの電波を受信することにより、自己の位置情報を知ることができ、取得した自己位置情報を国情報と関連付け、第２表示器３４の使用文字種を変更し表示する場合について説明する。
【００３５】
本発明の携帯通信端末は、図３のブロック図に示すように、ＧＰＳ衛星から受信した電波を緯度・経度の情報に変換処理することの出来るＧＰＳ処理部３８を有している。メモリ３２にはＧＰＳ処理部３８で変換処理されて緯度・経度の情報を国情報に変換するためのデータが記憶されている。たとえば、緯度・経度の範囲に対する国情報をメモリ３２に記憶させておくことで、使用者の使用環境設定により国情報を設定することなくＧＰＳ衛星からの電波を受信することによって国情報が決定され、入力キー部１２の表示手段である第２表示器３４に該当する文字種を表示することができる。
【００３６】
以上説明したように、これらの実施例によれば、国情報を決定することにより、入力キー部１２の表示手段である第２表示器３４を切り替えることが可能であり、使用言語と入力キー部１２の表示文字種が一致し、入力が容易になる。また、使用言語を設定することにより１つのキーに表示される文字数を削減し、１文字を従来の表示より大きくできるという効果も同時に得ることができる。
【００３７】
さらに、使用言語の異なる様々な国・地域であっても同一の端末を使用することが可能となり、各国・地域毎の使用文字種を入力キー部に刻印することが必要無くなる。
【００３８】
上述した実施例の異なる様態として、入力言語によって使用文字種を変更する第２表示器３４に関して、例えば図９に示すように、１つの液晶画面に複数のキーを表示させ、液晶面に触れることによりキーの操作を検知しても良い。また、図１０（ａ）に示すように、第１表示器１６の一部に入力キーを表示させ、図１０（ｂ）に示すようなナビゲーションキー１４を使用して、第１表示器１６内に表示されている入力キーを操作するようにしても良い。また、図１１のように、１つのキーに対して、複数の微小ＬＥＤを配列させて各ＬＥＤのオン／オフにより文字を表示するようにしても良い。
【００３９】
また、位置情報を取得する手段として、上述した実施例ではＧＰＳ衛星から取得することとしたが、例えば携帯電話機のように通信する基地局から位置情報を取得することとしてもよい。
【図面の簡単な説明】
【００４０】
【図１】本発明の実施例を示す概略図である。
【図２】本発明の使用言語による入力キーの表示変更の一例を示す図である。
【図３】図１実施例の概略構成を示すブロック図である。
【図４】実施例におけるシステムに対する国情報の設定に関し、（ａ）は設定メニュー画面の表示例であり、（ｂ）は国情報の選択画面の表示例を示す図である。
【図５】国名と使用言語と使用文字種関連付けて保存されている国情報テーブルを示す図である。
【図６】（ａ）は本実施例の国情報の設定項目を有するアドレス帳の表示例であり（ｂ）は国情報の設定項目を選択した場合に表示される国名選択画面の表示例を示す図である。
【図７】実施例における文字入力を行う際の国情報の取得方法を示すフロー図である。
【図８】実施例における入力キー表示処理を示すフロー図である。
【図９】第２表示器に関する実施例とは異なる様態の例を示した図である。
【図１０】（ａ）は第２表示器に関する実施例とは異なる様態の例を示した図であり、（ｂ）は本様態における入力キーの操作方法を示した図である。
【図１１】第２表示器として複数の微小LEDを用いた実施例とは異なる様態の例を示した図である。
【符号の説明】
【００４１】
１２…入力キー部
１４…ナビゲーションキー
１６…第１表示器
３２…メモリ
３４…第２表示器
３８…ＧＰＳ処理部
【図１】
2006287495.tif 000003
【図２】
2006287495.tif 000004
【図３】
2006287495.tif 000005
【図４】
2006287495.tif 000006
【図５】
2006287495.tif 000007
【図６】
2006287495.tif 000008
【図７】
2006287495.tif 000009
【図８】
2006287495.tif 000010
【図９】
2006287495.tif 000011
【図１０】
2006287495.tif 000012
【図１１】
2006287495.tif 000013